(57)【要約】      （修正有）【課題】結露に起因するサイディング外壁の劣化を防止する劣化防止構造を提供する。【解決手段】戸建住宅の外壁に、胴縁を介してサイディング材１７を設ける外壁構造であって、サイディング材１７と胴縁との間に、遮水性のある防水シート３０を配する。サイディング材１７と胴縁との間に防水シート３０を配することにより、サイディング材１７の裏面（通気用空間側）に結露が生じても、当該結露水は防水シート３０によって遮られ、サイディング材１７の裏面に付着することがない。窯業系サイディング材の場合、結露が裏面から内部浸入することもない。同様に、サイディング材１７の上下（または左右）の継ぎ目の充填材１９にも、結露水は付着しない。【選択図】図２
0003220164.tif 000002
【実用新案登録請求の範囲】
【請求項１】
戸建住宅の外壁に、
胴縁を介してサイディング材を設ける外壁構造において、
前記サイディング材と前記胴縁との間に、遮水性のある防水シートを配することを特徴とするサイディング外壁の劣化防止構造。
【請求項２】
サイディング材の屋内側の継目部分に、
肉薄の断熱シートを介在させることを特徴とする請求項１記載のサイディング外壁の劣化防止構造。
【考案の詳細な説明】
【技術分野】
【０００１】
本考案は、木造住宅等の外壁を化粧するサイディング材に係り、とくにサイディング材の経年劣化を防止する外壁構造に関する。
【背景技術】
【０００２】
木造住宅の外壁は、各種のサイディング材、とくに窯業系サイディング材（コンクリート系パネル）を施して住宅の外観品質を高める。サイディング材は、木造枠組壁工法（外壁面によって駆体荷重を支えるツーバイフォー構造等）に限らず、伝統的な軸組工法にもみられる外壁の化粧材である。
【０００３】
図４は、ツーバイフォー構造をとる戸建住宅における、サイディング材と外壁下地材との関係を平面から例示する断面図である。
【０００４】
１は間柱、２は、間柱１の間に配する断熱材、３は、間柱１の屋外側に設ける構造用合板、４は、構造用合板３の屋外側に設ける透湿防水シート、５は胴縁、６は、胴縁５によって形成される通気用空間、７は、サイディング材、８は、断熱材２の屋内側に設ける透湿シートである。矢印Ａは、通気用空間６を流れる空気である（図５参照）。
【０００５】
構造用合板３は、例えば、釘等の固定金具（図示せず）を介して間柱１／柱材に固定し、胴縁５は、例えば釘等の固定金具（図示せず）を介して間柱１／柱材に固定し、サイディング材７は、例えば釘等の固定金具（図示せず）を介して胴縁５に固定する。
【０００６】
図５は、このように構成した外壁の縦断面（側面断面）を示すものである。
【０００７】
符号９は、サイディング材７の継ぎ目（目地）に設ける充填材（コーキング材／シーリング材）である。
【０００８】
サイディング材７は、横方向に長尺のパネル材を用いることが多い。従って、サイディング材７の継ぎ目に設ける充填材（コーキング材／シーリング材）９も外壁の横方向に、サイディング材７の継ぎ目を埋めるように配される。
【０００９】
サイディング材７は、素材として各種ある。例えば、窯業系、金属系、木質系、樹脂系の四種である。構造用合板３を用いる木造枠組壁工法では、窯業系サイディング材を用いることが多い（例えば、特許文献１）。
【００１０】
充填材（コーキング材／シーリング材）９は、不定形の樹脂系材料のものが使用される。
【００１１】
透湿防水シート４は、例えば、ポリエチレンフィルム等、肉薄の樹脂系シート材（フィルム材）を使用する。
【００１２】
従来の外壁構造は、構造用合板３の屋外側に透湿防水シート４を設けることによって、躯体強度を保証する構造用合板３の劣化を防止した。透湿防水シート４を配することによって、構造用合板３の表面に結露（水分）が付着せず、構造用合板３の経年劣化を確実に防止できる。
【先行技術文献】
【特許文献】
【００１３】
【特許文献１】特開２００９−２６４０９１
【考案の開示】
【考案が解決しようとする課題】
【００１４】
問題は、寒冷地におけるサイディング材の劣化、とくに、窯業系サイディングを用いた外壁における劣化スピードの速さである。
【００１５】
具体的には、新築家屋でも２〜３年を経過した時点で、サイディング材の継ぎ目が破損するとともに、サイディング材の表面が損傷して荒れ、家屋の美観を劣化させるという現象である。
【００１６】
原因は、通気用空間を流れる空気に含まれる水分（湿気）が、サイディング材の裏面から吸収されやすいこと、及びサイディングの継ぎ目に結露が生じ、零下５〜１５℃の外気温の影響によって凍結と融解を長期間にわたって何度も繰り返すためである。つまり、サイディング材の裏面全体に吸収される湿気と目地（継ぎ目）の結露が相俟って、凍害を惹起する。冬期の結露は、主として屋内側の暖房熱によって生じる。また、結露は、夏期にも生じる。
【００１７】
窯業系サイディングは、構造強度、耐寒性、耐熱性に優れる。しかしながら、通気用空間側で生ずる結露と、冬期の凍結によって、想定以上に劣化進行が早まるのが実情である。
【００１８】
窯業系サイディング以外の各種サイディング材の変形劣化が早まるのも、同様の理由であると考えられる。
【００１９】
そこで、本考案の目的は、結露に起因するサイディング外壁の劣化を、確実に防止することにある。
【課題を解決するための手段】
【００２０】
前記目的を達成するため、本考案に係るサイディング外壁の劣化防止構造は、戸建住宅の外壁に、胴縁を介してサイディング材を設ける外壁構造を技術的前提として、前記サイディング材と前記胴縁との間に、遮水性のある防水シートを配する（請求項１）。
【００２１】
サイディング材と胴縁との間に、遮水性のある防水シートを配することにより、サイディング材の裏面（通気用空間側）に結露が生じても、当該結露水は防水シートによって遮られ、サイディング材の裏面に付着することがない。窯業系サイディング材の場合、結露が裏面から内部浸入することもない。
【００２２】
同様に、サイディング材の上下（または左右）の継ぎ目の充填材にも、結露水は付着しない。
【００２３】
従って、冬期の厳しい寒気によって結露水が凍結しても、サイディング材の裏面および継ぎ目の充填材は、結露水の凍結／解凍等の影響を受けない。
【００２４】
この結果、本考案に係るサイディング外壁によれば、結露水の凍結／解凍等に起因する外壁の劣化／汚損を確実に防止することが出来る。
【００２５】
サイディング材の屋内側の継目部分に、肉薄の断熱シートを介在させる場合がある（請求項２）。
【００２６】
サイディング材の継目部分に配する樹脂系の充填材（コーキング材／シーリング材）は、寒暖の変化による膨張／収縮を起こしやすい。
【００２７】
そこで、当該部分をカバーする位置に、肉薄の断熱シートを介在させておくことによって、充填材（コーキング材／シーリング材）の膨張／収縮を最小限に抑え、充填材が痩せることによるサイディング外壁の劣化を防止できる。
【考案の効果】
【００２８】
かかる構成によれば、寒冷地における、結露の凍結／解凍に起因するサイディング外壁の劣化を確実に防止することが出来る。
【図面の簡単な説明】
【００２９】
【図１】第一の実施形態に係る外壁構造を平面から例示する断面図である。
【図２】第一の実施形態に係る外壁構造を側面から例示する断面図である。
【図３】第二の実施形態に係る外壁構造を側面から例示する断面図である。
【図４】従来の外壁構造を平面から例示する断面図である。
【図５】従来の外壁構造を側面から例示する断面図である。
【考案を実施するための形態】
【００３０】
図１および図２は、本考案に係る外壁構造の第一の実施形態を示すものである。図１は、外壁の平面断面図、図２は、外壁の側面断面図である。
【００３１】
全体の構造は、従来の外壁構造と略同様で良い。例えば、間柱（柱材）１１の間に断熱材１２を配するとともに、間柱１１の屋外側に構造用合板１３を配し、構造用合板１３の屋外側に透湿防水シート１４を設ける。
【００３２】
そして、透湿防水シート１４の屋外側に胴縁１５を設けて、当該胴縁１５を介してサイディング材１７を固定することにより、サイディング材１７と構造用合板１３との間に通気用空間１６を形成する。１８は、断熱材１２の屋内側に設ける透湿シート、矢印Ａは、通気用空間１６を流れる空気である。
【００３３】
サイディング材１７は、例えば窯業系サイディングボードを用いることが出来る。また、サイディング材１７は、例えば、その長手方向を水平方向に配列し、複数の窯業系サイディングボードを上下段に整列配置する。
【００３４】
１９は、上下で隣接するサイディング材１７の継ぎ目に設ける充填材（コーキング材／シーリング材）である。充填材１９は、例えば、不定形の樹脂系素材を用いることが出来る。
【００３５】
３０は、サイディング材１７と胴縁１５との間に設けた、遮水性のある防水シートである。防水シート３０の配設位置は、サイディング材１７の裏面（屋内側面）と胴縁１５の表面（屋外側面）となる。
【００３６】
この防水シート３０は、通気用空間１６を流れる空気に含まれる湿気（水分）が、サイディング材１７の裏面（屋内側面）から内部に浸入することを防止し、また、サイディング材１７の裏面（屋内側面）および／または充填材１９の屋内側に結露となって付着することを防止する機能を備えるものを用いる。
【００３７】
遮水性（防水機能）があれば良いので、防水シート、防水紙（例えばアスファルトフェルト）等を用いることが出来る。構造用合板１３の屋外側に設ける透湿防水シート１４のような、透湿性は不要である。
【００３８】
かかる構成によれば、通気用空間１６を流れる空気に含まれる水分がサイディング材１７の裏面から浸透することもなく、サイディング材１７の裏面／充填材１９の屋内側に結露が付着することもない。
【００３９】
湿気や結露による水分の影響を遮断できるので、仮に、冬期に結露が凍結しても、サイディング材１７／充填材１９は、凍結／解凍の繰り返しによる影響を受けない状態を保持できる。
【００４０】
防水シート３０は、より好ましくは、止水機能のある肉薄シート材を用いる。例えば、肉薄のポリオレフィンシートを基材として、その片側面に肉薄の不織布シート（例えばポリオレフィン系不織布）を配し、他方の面に、肉薄の高分子吸水材をコーティングしたシート材等である。
【００４１】
図３は、サイディング材１７の屋内側の継ぎ目（目地）に肉薄の断熱シート４０を配した、第二の実施形態を示すものである。
【００４２】
肉薄の断熱シート４０は、サイディング材１７の屋内側の継ぎ目（目地）部分を被覆するものであれば良い。例えば、サイディング材１７の目地に沿って、横方向に延びる帯状の長尺シート材を用いる。
【００４３】
断熱シート４０の第一の機能は、サイディング材１７の継ぎ目（目地）の充填材１９の熱変化を少なくするものであるから、発泡樹脂系の肉薄シートを用いることができる。
【００４４】
しかしながら、より好ましくは、伸縮性のある天然／合成のゴム材を用いることが望ましい。
【００４５】
サイディング材１７は、様々な外力を受けて位置ずれを起こす。例えば、台風時のような強風／突風が断続的・長時間続くとき、大きな地震が起きたとき、近隣を大型車両が頻繁に走行する場合等である。
【００４６】
サイディング材１７を胴縁１５に釘等で固定していても、このような外力によるサイディング材１７の位置ずれを防止することは難しい。
【００４７】
一方、サイディング材１７の継ぎ目（目地）の充填材１９の屋外側に、伸縮性のある天然／合成のゴム材等からなる肉薄の断熱シート４０を配しておけば、充填材１９の経年劣化を防止するだけでなく、各種事由に起因するサイディング材１７の位置ずれを抑え、初期の設計通りの外壁構造の状態を長期にわたって維持することが可能となる。
【００４８】
図３では、断熱シート４０の配設状態を強調するため、防水シート３０との間に符号Ｗで示す隙間が生じるように示したが、実際には、断熱シート４０は肉厚１〜３ｍｍ程度のシート材で良い。防水シート３０と断熱シート４０は略一体化状態で配設することが可能であり、符号Ｗで示すような隙間は生じない。防水シート３０は、図２に示す状態と同様に、サイディング材１７の裏面（屋内側面）に密着した状態を保つ。
【００４９】
本考案に係る外壁構造は、ツーバイフォー等の枠組壁工法（構法）、在来工法である軸組工法（構法）のいずれにも適用可能である。
【符号の説明】
【００５０】
１１  間柱（柱材）
１２  断熱材
１３  構造用合板
１４  透湿防水シート
１５  胴縁
１６  通気用空間
１７  サイディング材
１８  透湿シート
１９  充填材（コーキング材／シーリング材）
３０  防水シート
４０  断熱シート
Ａ  空気
Ｗ  隙間
【図１】
0003220164.tif 000003
【図２】
0003220164.tif 000004
【図３】
0003220164.tif 000005
【図４】
0003220164.tif 000006
【図５】
0003220164.tif 000007